(57)【要約】      （修正有）【課題】電力網において、コンピュータウィルスの蔓延を防ぐ情報処理装置等を提供する。【解決手段】電力網に接続した充電施設において移動体が充電する際に、移動体に配置された移動体端末装置が、充電施設に配置された施設端末装置と電力網に関連した通信を行うことにより、移動体端末装置がコンピュータウィルスを検出した場合に、充電施設を特定する充電施設特定情報を移動体端末装置から取得し（Ｓ１０）、取得した充電施設特定情報から充電施設に関連する充電施設関連情報を生成し（Ｓ１１〜Ｓ１３）、生成した充電施設関連情報を、他の移動体に配置された他の移動体端末装置に出力する（Ｓ１４）。【選択図】図８
2014106801.tif 000002
【特許請求の範囲】
【請求項１】
電力網に接続した充電施設において移動体が充電する際に、前記移動体に配置された移動体端末装置が、前記充電施設に配置された施設端末装置と前記電力網に関連した通信を行うことにより、前記移動体端末装置がコンピュータウィルスを検出した場合に、前記充電施設を特定する充電施設特定情報を前記移動体端末装置から取得する取得部と、
前記取得した充電施設特定情報から前記充電施設に関連する充電施設関連情報を生成する生成部と、
前記生成した充電施設関連情報を、他の移動体に配置された他の移動体端末装置に出力する出力部と、
を備えることを特徴とする情報処理装置。
【請求項２】
請求項１に記載の情報処理装置において、
前記生成部が、前記充電施設特定情報に基づいて前記充電施設と前記電力網を介して接続している接続充電施設を特定し、前記充電施設関連情報として、当該特定された接続充電施設に関連する情報を生成することを特徴とする情報処理装置。
【請求項３】
請求項１または請求項２に記載の情報処理装置において、
前記充電施設特定情報は、前記充電施設に関する位置の情報であることを特徴とする情報処理装置。
【請求項４】
請求項１から請求項３のいずれか１項に記載の情報処理装置において、
前記充電施設関連情報は、前記充電施設が地図上に示された地図情報であることを特徴とする情報処理装置。
【請求項５】
請求項４に記載の情報処理装置において、
前記充電施設関連情報は、前記充電施設と前記接続充電施設とが地図上に示された地図情報であって、
前記地図上に、前記充電施設と前記接続充電施設とを、異なる態様で表示することを特徴とする情報処理装置。
【請求項６】
請求項１から請求項５のいずれか１項に記載の情報処理装置において、
前記取得部が、前記コンピュータウィルスのウィルス情報を前記移動体端末装置から更に取得し、
前記出力部は、前記ウィルス情報を前記他の移動体端末装置に更に出力することを特徴とする情報処理装置。
【請求項７】
情報処理装置が情報処理を行う情報処理方法にあって、
電力網に接続した充電施設において移動体が充電する際に、前記移動体に配置された移動体端末装置が、前記充電施設に配置された施設端末装置と前記電力網に関連した通信を行うことにより、前記移動体端末装置がコンピュータウィルスを検出した場合に、前記充電施設を特定する充電施設特定情報を前記移動体端末装置から取得する取得ステップと、
前記取得した充電施設特定情報から前記充電施設に関連する充電施設関連情報を生成する生成ステップと、
前記生成した充電施設関連情報を、他の移動体に配置された他の移動体端末装置に出力する出力ステップと、
を含むことを特徴とする情報処理方法。
【請求項８】
コンピュータを、請求項１から請求項６のいずれか１項に記載の情報処理装置として機能させることを特徴とする情報処理装置用プログラム。
【請求項９】
請求項８に記載の情報処理装置用プログラムがコンピュータ読み取り可能に記録されていることを特徴とする記録媒体。
【請求項１０】
電力網に接続した充電施設において移動体が充電する際に、前記移動体に配置された移動体端末装置が、前記充電施設に配置された施設端末装置と、前記電力網に関連した通信を行うことにより、前記移動体端末装置がコンピュータウィルスを検出した場合に、前記充電施設を特定する充電施設特定情報を前記移動体端末装置から取得する取得部と、前記取得した充電施設特定情報から前記充電施設に関連する充電施設関連情報を生成する生成部と、前記生成した充電施設関連情報を、他の移動体に配置された他の移動体端末装置に送信する送信部と、を備える情報処理装置から、
前記充電施設関連情報を受信する受信部と、
前記受信した充電施設関連情報に基づいて、前記コンピュータウィルスが検出された充電施設の情報を前記他の移動体の利用者に提示する提示部と、
を備えることを特徴とする情報提示装置。
【請求項１１】
情報提示装置が情報提示を行う情報提示方法にあって、
電力網に接続した充電施設において移動体が充電する際に、前記移動体に配置された移動体端末装置が、前記充電施設に配置された施設端末装置と、前記電力網に関連した通信を行うことにより、前記移動体端末装置がコンピュータウィルスを検出した場合に、前記充電施設を特定する充電施設特定情報を前記移動体端末装置から取得する取得部と、前記取得した充電施設特定情報から前記充電施設に関連する充電施設関連情報を生成する生成部と、前記生成した充電施設関連情報を、他の移動体に配置された他の移動体端末装置に送信する送信部と、を備える情報処理装置から、
前記充電施設関連情報を受信する受信ステップと、
前記受信した充電施設関連情報に基づいて、前記コンピュータウィルスが検出された充電施設の情報を前記他の移動体の利用者に提示する提示ステップと、
を含むことを特徴とする情報提示方法。
【請求項１２】
コンピュータを、請求項１１に記載の情報提示装置として機能させることを特徴とする情報提示装置用プログラム。
【請求項１３】
請求項１２に記載の情報提示装置用プログラムがコンピュータ読み取り可能に記録されていることを特徴とする記録媒体。
【発明の詳細な説明】
【技術分野】
【０００１】
本願は、情報処理装置、情報処理方法、情報処理装置用プログラム、および、記録媒体の技術分野に属する。
【背景技術】
【０００２】
電力の有効利用のために、通信機能および制御機能を付加した電力網、いわゆるスマートグリッドが提案されている。このスマートグリッドを介して充電を行う車両へ情報提供が行われる。例えば、下記特許文献１には、スマートグリッド内における停電情報を取得すると、停電障害発生地区およびその近隣に存在する電動車両を抽出し、抽出した電動車両それぞれに対して、停電障害発生地区以外の充電スタンドのうち電動車両の近傍位置で早く充電を開始できる充電スタンドをリストアップして、そのリストを表す代替充電スタンド情報を車載ナビゲーション装置０に送信する充電施設情報提供装置が開示されている。
【先行技術文献】
【特許文献】
【０００３】
【特許文献１】特開２０１２−５３８２１号公報
【発明の概要】
【発明が解決しようとする課題】
【０００４】
しかしながら、従来の技術では、車両に充電を行う際、通信機能を介して、コンピュータウィルスに感染する可能性があり、不特定多数の車両が充電することにより、コンピュータウィルスが蔓延するおそれがあった。
【０００５】
そこで本願は、上記の各問題点に鑑みて為されたもので、その課題の一例は、電力網において、コンピュータウィルスの蔓延を防ぐ情報処理装置等を提供することにある。
【課題を解決するための手段】
【０００６】
上記課題を解決するため、請求項１に記載の発明は、電力網に接続した充電施設において移動体が充電する際に、前記移動体に配置された移動体端末装置が、前記充電施設に配置された施設端末装置と前記電力網に関連した通信を行うことにより、前記移動体端末装置がコンピュータウィルスを検出した場合に、前記充電施設を特定する充電施設特定情報を前記移動体端末装置から取得する取得部と、前記取得した充電施設特定情報から前記充電施設に関連する充電施設関連情報を生成する生成部と、前記生成した充電施設関連情報を、他の移動体に配置された他の移動体端末装置に出力する出力部と、を備えることを特徴とする。
【０００７】
また請求項７に記載の発明は、情報処理装置が情報処理を行う情報処理方法にあって、電力網に接続した充電施設において移動体が充電する際に、前記移動体に配置された移動体端末装置が、前記充電施設に配置された施設端末装置と前記電力網に関連した通信を行うことにより、前記移動体端末装置がコンピュータウィルスを検出した場合に、前記充電施設を特定する充電施設特定情報を前記移動体端末装置から取得する取得ステップと、前記取得した充電施設特定情報から前記充電施設に関連する充電施設関連情報を生成する生成ステップと、前記生成した充電施設関連情報を、他の移動体に配置された他の移動体端末装置に出力する出力ステップと、を含むことを特徴とする。
【０００８】
また請求項１０に記載の発明は、電力網に接続した充電施設において移動体が充電する際に、前記移動体に配置された移動体端末装置が、前記充電施設に配置された施設端末装置と、前記電力網に関連した通信を行うことにより、前記移動体端末装置がコンピュータウィルスを検出した場合に、前記充電施設を特定する充電施設特定情報を前記移動体端末装置から取得する取得部と、前記取得した充電施設特定情報から前記充電施設に関連する充電施設関連情報を生成する生成部と、前記生成した充電施設関連情報を、他の移動体に配置された他の移動体端末装置に送信する送信部と、を備える情報処理装置から、前記充電施設関連情報を受信する受信部と、前記受信した充電施設関連情報に基づいて、前記コンピュータウィルスが検出された充電施設の情報を前記他の移動体の利用者に提示する提示部と、を備えることを特徴とする。
【０００９】
また請求項１１に記載の発明は、情報提示装置が情報提示を行う情報提示方法にあって、電力網に接続した充電施設において移動体が充電する際に、前記移動体に配置された移動体端末装置が、前記充電施設に配置された施設端末装置と、前記電力網に関連した通信を行うことにより、前記移動体端末装置がコンピュータウィルスを検出した場合に、前記充電施設を特定する充電施設特定情報を前記移動体端末装置から取得する取得部と、前記取得した充電施設特定情報から前記充電施設に関連する充電施設関連情報を生成する生成部と、前記生成した充電施設関連情報を、他の移動体に配置された他の移動体端末装置に送信する送信部と、を備える情報処理装置から、前記充電施設関連情報を受信する受信ステップと、前記受信した充電施設関連情報に基づいて、前記コンピュータウィルスが検出された充電施設の情報を前記他の移動体の利用者に提示する提示ステップと、を含むことを特徴とする。
【図面の簡単な説明】
【００１０】
【図１】実施形態に係る情報処理装置の概要構成の一例を示すブロック図である。
【図２】実施例に係る情報処理システムの概要構成例を示す模式図である。
【図３】実施例に係るグリッド管理装置の概要構成の一例を示すブロック図である。
【図４】実施例に係る充電施設の充電装置の概要構成の一例を示すブロック図である。
【図５】実施例に係る車両の車両情報処理システムの概要構成の一例を示すブロック図である。
【図６】実施例に係る他の車両の車両情報処理システムの概要構成の一例を示すブロック図である。
【図７】実施例に係る車両情報処理システムの動作の一例を示すフローチャートである。
【図８】実施例に係るグリッド管理装置の動作の一例を示すフローチャートである。
【図９】実施例に係る他の車両の車両情報処理システムの動作の一例を示すフローチャートである。
【図１０】図６の表示部における充電施設情報の表示の一例を示す模式図である。
【図１１】実施例に係るグリッド管理装置の動作の変形例を示すフローチャートである。
【図１２】実施例に係る他の車両の車両情報処理システムの動作の変形例を示すフローチャートである。
【発明を実施するための形態】
【００１１】
本願を実施するための形態について、図１を用いて説明する。なお図１は、実施形態に係る情報処理装置の概要構成の一例を示すブロック図である。
【００１２】
図１に示すように、電力網に接続した充電施設において充電を行う移動体に配置された移動体端末装置からの情報を処理する情報処理装置１０は、取得部１０ａと、生成部１０ｂ、出力部１０ｃと、を備えて構成されている。
【００１３】
ここで、電力網の一例として、電力網に通信機能や制御機能を付加したスマートグリッド（次世代送電網）等が挙げられる。また、電力網は、地域毎に区割りされていてもよい。また、電力網は、電力を供給する電力会社毎に、区割りされていてもよい。
【００１４】
また、通信機能の一例として、いわゆるスマートメータ（次世代電力量計）等に利用される通信機能が挙げられる。また、電力網に関連した通信の一例として、電力の使用状況のデータ、電力の供給状況のデータ、制御情報の送受信を行う無線通信、光ファイバを用いた通信回線、パワーラインを通信回線として利用する電力線搬送通信等が挙げられる。なお、電力網に関連した通信において送受信される情報として、クレジットカードに関するカード情報（電力供給に対する支払い情報）、充電スポットの充電装置の充電スポットＩＤ、充電装置ＩＤも含まれる。また、電力網に関連した通信として、インターネットでもよい。また、電力網に関連した通信の一例として、パワーラインの接続系統と一致した通信系統でもよいし、パワーラインの接続系統と異なる通信系統もよい。また、各スマートメータ同士で通信を行ってもよい。これらのように、スマートグリッドにおいて、電力網に関連した通信網が形成されている。
【００１５】
また、充電施設の一例として、移動体にエネルギー供給サービスを提供するガソリンスタンド等のエネルギー販売店、スーパーマーケット、コンビニエンスストア等の移動体を駐車できるスペースを有する店舗、一般家庭等が挙げられる。また、移動体の一例として、自動車等の車両、自動二輪車、自転車が挙げられる。移動体端末装置の一例として、カーナビゲーション装置、パーソナルコンピュータやスマートフォンを含む携帯型無線電話機やＰＤＡ等の携帯端末、移動体のバッテリを制御し、充電施設との通信を行う電力制御装置等が挙げられる。また、情報処理装置の一例として、電力網を管理するグリッド管理装置、電力網を管理するグリッド管理装置とは別のサーバ装置、充電施設において充電を行う移動体に配置されたコンピュータ等が挙げられる。また、移動体は、電気自動車のように電気駆動のみでもよいし、ハイブリッドカーのように、異なる２つ以上の動力源を持ってもよい。
【００１６】
この構成において取得部１０ａは、電力網に接続した充電施設において移動体が充電する際に、移動体に配置された移動体端末装置が、充電施設に配置された施設端末装置と電力網に関連した通信を行うことにより、移動体端末装置がコンピュータウィルスを検出した場合に、充電施設を特定する充電施設特定情報を移動体端末装置から取得する。
【００１７】
ここで、施設端末装置の一例として、エネルギー販売店や店舗、家庭等における移動体に充電する充電装置が挙げられる。充電装置は、充電と連動し、充電をする移動体と通信を行う。また、コンピュータウィルスは、コンピュータに侵入するプログラムであり、一例として、他のプログラムに寄生する狭義のコンピュータウィルスや、寄生せず単独で動作するワーム、トロイの木馬型のコンピュータウィルス等が挙げられる。また、充電施設特定情報として、充電施設に関する位置の情報（例えば、充電施設が設置されている場所の位置情報、緯度経度情報、充電施設の住所、充電施設の名称等）、充電施設において充電をしている移動体の現在位置情報、各充電施設に割り当てられた充電施設ＩＤ、充電施設の各充電装置に割り当てられた充電装置ＩＤ等が挙げられる。
【００１８】
生成部１０ｂは、取得した充電施設特定情報から充電施設に関連する充電施設関連情報を生成する。ここで、充電施設関連情報の一例として、充電施設特定情報に基づいて充電施設と電力網を介して接続している接続充電施設が特定され、当該特定された接続充電施設に関連する情報（例えば、接続充電施設が設置されている場所の位置情報、緯度経度情報、接続充電施設の住所、接続充電施設の名称等の接続充電施設に関する位置の情報）、各接続充電施設に割り当てられた充電施設ＩＤ、接続充電施設の各充電装置に割り当てられた充電装置ＩＤ等が挙げられる。また、充電施設関連情報の一例として、充電施設特定情報自体でもよい。さらに、充電施設が地図上に示された地図情報、充電施設と接続充電施設とが地図上に示された地図情報、充電施設と接続充電施設とを、異なる態様で表示した地図情報でもよい。また、充電施設関連情報は、充電施設と接続している電力網を特定できる情報でもよい。また、充電施設関連情報は、充電施設において検出されたコンピュータウィルスの有無、コンピュータウィルスの種類等でもよい。
【００１９】
出力部１０ｃは、生成した充電施設関連情報を、他の移動体に配置された他の移動体端末装置に出力する。ここで、出力の一例として、送信、表示部への表示、スピーカー等による音声による出力等が挙げられる。
【００２０】
以上説明したように、実施形態に係る情報処理装置１０の動作によれば、充電施設において移動体が充電する際に、コンピュータウィルスを検出した場合に、充電施設を特定できる情報を、他の移動体に出力するので、電力網において、コンピュータウィルスの蔓延を防ぐことができる。
【実施例】
【００２１】
［１．情報処理システムの構成および機能概要］
次に、上述した実施形態に対応する具体的な実施例について、図２から図１０を用いて説明する。なお以下に説明する実施例は、情報処理装置の一例の電力網を管理するグリッド管理装置と、電力網に接続した充電施設の一例の充電スポットにおける充電装置と、充電スポットで充電を行う移動体の一例の車両と、グリッド管理装置から情報を受信する他の移動体の一例の他の車両と、を備えた情報処理システムにおける情報処理に本願を適用した場合の実施例である。
【００２２】
図２に示すように、実施形態に係る情報処理システム１の一例としての情報処理システム１は、通信機能および制御機能と付加した電力網Ｇ１、いわゆるスマートグリッドを管理するグリッド管理装置１０（情報処理装置の一例）と、電力網Ｇ１に接続した充電スポット（充電施設の一例）の充電装置２０、４０と、充電スポットの充電装置２０、４０で充電を行う車両３０（移動体の一例）と、グリッド管理装置１０から情報を受信する複数の他の車両５０（他の移動体の一例）と、を備えている。なお、充電装置２０は、電力網Ｇ１に接続した充電施設の一例である。充電装置４０は、充電施設（充電装置２０）と電力網Ｇ１を介して接続している接続充電施設の一例である。
【００２３】
また、グリッド管理装置１０は、電力網Ｇ１、他の地域の電力網Ｇ２、Ｇ３等とも、通信機能により接続している。
【００２４】
なお、電力網Ｇ１、Ｇ２、Ｇ３は、電力系統および通信系統を示している。また、電力網Ｇ１、Ｇ２、Ｇ３には、電力系統の供給側として、例えば、火力発電、水力発電、原子力発電、風力発電、太陽光発電、地熱発電、潮力発電等の大型の発電施設が接続されている。また、電力網Ｇ１、Ｇ２、Ｇ３には、電力網Ｇ１、Ｇ２、Ｇ３には、各地域の風力発電装置、太陽光発電装置、ガスタービン発電装置、燃料電池発電装置、蓄電装置（車両のバッテリを含む）が接続されている。
【００２５】
さらに、グリッド管理装置１０は、ネットワーク３を介して、車両３０、５０と通信を行う。なお、ネットワーク３は、例えば、インターネット、専用通信回線（例えば、ＣＡＴＶ（Community Antenna Television）回線）、移動体通信網（基地局等を含む）、およびゲートウェイ等により構築されている。
【００２６】
グリッド管理装置１０は、大型の発電施設、蓄電施設、各電力網Ｇ１、Ｇ２、Ｇ３の各充電スポットの充電装置２０、４０、各電力網Ｇ１、Ｇ２、Ｇ３の各発電装置および蓄電装置、各電力網Ｇ１、Ｇ２、Ｇ３の各需要家からの情報を受信し、電力供給状態を監視する。さらに、グリッド管理装置１０は、ネットワーク３を介して、各電力網Ｇ１、Ｇ２、Ｇ３の各充電スポットの充電装置２０、４０のコンピュータウィルスを監視する。
【００２７】
［２．情報処理サーバおよび各端末装置の構成および機能］
（２．１  グリッド管理装置の構成および機能）
次に、グリッド管理装置１０の構成および機能について、図３を用いて説明する。
図３は、実施例に係るグリッド管理装置の概要構成の一例を示すブロック図である。
【００２８】
図３に示すように、グリッド管理装置１０は、通信部１１と、記憶部１２と、制御部１３と、を有する。
【００２９】
通信部１１は、電力網Ｇ１、Ｇ２、Ｇ３の通信回線を介して、各電力網Ｇ１、Ｇ２、Ｇ３の各充電スポットの充電装置２０、４０、各電力網Ｇ１、Ｇ２、Ｇ３の各発電装置および蓄電装置、各需要家のスマートメータとの通信状態を制御するようになっている。また、通信部１１は、ネットワーク３に接続して、車両３０、５０との通信状態を制御するようになっている。
【００３０】
記憶部１２は、例えば、シリコンディスク、ハードディスクドライブ等により構成されており、オペレーティングシステムおよびサーバプログラム等の各種プログラム等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００３１】
また、記憶部１２には、各充電スポットの充電スポットＩＤ（充電施設ＩＤの一例）に関連付けられ、各充電スポットの名称、各充電スポットの住所、各充電スポットの緯度経度情報、接続している電力網Ｇ１、Ｇ２、Ｇ３の情報、供給した電力情報等が記憶したデータベースが構築されている。なお、各充電スポットにおいて、複数の充電装置が設置してある場合、各充電装置に充電装置ＩＤを割り振ってもよい。また、記憶部１２は、ナビゲーションに必要な地図データを有していてもよい。
【００３２】
制御部１３は、ＣＰＵ（Central Processing Unit）、ＲＯＭ（Read Only Memory）、ＲＡＭ（Random Access Memory）等により構成されている。そして、制御部１３のＣＰＵが、ＲＯＭや記憶部１２に記憶された各種プログラムを読み出し実行し、電力網の制御や車両３０、５０と通信を行う。
【００３３】
（２．２  充電装置の構成および機能）
次に、充電スポットの充電装置２０の充電装置の構成および機能について、図４を用いて説明する。なお、充電装置４０（施設端末装置の一例）の構成および機能は、充電装置２０（施設端末装置の一例）と同様なので、充電装置２０についてのみ構成および機能を説明する。
図４は、実施例に係る充電施設の充電装置の概要構成の一例を示すブロック図である。
【００３４】
図４に示すように、充電スポットの充電装置２０は、給電部２１と、無線通信部２２と、記憶部２３と、表示部２４と、通信部２５と、制御部２６と、を有する。
【００３５】
給電部２１は、車両３０に接続するための電力ケーブル２１ａを有する。給電部２１は、電力網Ｇ１から供給された電力を車両３０に供給し、供給量を検出する。電力ケーブル２１ａはプラグを有し、車両３０に接続する。電力ケーブル２１ａはプラグ部分には、車両に接続した際、接続を確認するセンサが取り付けられている。
【００３６】
無線通信部２２は、例えば、無線LAN機器間の相互接続性を認証して通信を行う無線機能を有する。無線通信部２２は、電力網に関連した通信の一例として、車両３０と通信を行い、電力価格、電力供給量、車両３０の充電状態等の電力情報、クレジットカードに関するカード情報、充電スポットの充電装置２０の充電スポットＩＤ（充電施設特定情報の一例）、充電装置ＩＤ（充電施設特定情報の一例）等の送受信を行う。
【００３７】
記憶部２３は、例えば、シリコンディスク、ハードディスクドライブ等により構成されており、オペレーティングシステム等の各種プログラム等を記憶する。なお、各種プログラムは、例えば、電力網Ｇ１またはネットワーク３を介して取得されるようにしてもよいし、記録媒体に記録されてドライブ装置を介して読み込まれるようにしてもよい。
【００３８】
表示部２４、例えば、液晶表示素子またはＥＬ（Electro Luminescence）素子等によって構成されている。表示部２４には、支払い方法、供給電力、料金等が表示される。
【００３９】
通信部２５は、電力網Ｇ１の通信機能を介して、グリッド管理装置１０や、他の充電スポットの充電装置４０と通信を行う。なお、ネットワーク３に接続していてもよい。
【００４０】
制御部２６は、ＣＰＵ、ＲＯＭ、ＲＡＭ等により構成されている。そして、制御部２６のＣＰＵが、ＲＯＭや記憶部２３に記憶された各種プログラムを読み出し実行し、電力の供給量の算出や、料金の算出等を行う。
【００４１】
（２．３  車両の車両情報処理システムの構成および機能）
次に、車両３０の車両情報処理システムの構成および機能について、図５を用いて説明する。
図５は、実施例に係る車両の車両情報処理システムの概要構成の一例を示すブロック図である。
【００４２】
図５に示すように、車両３０の車両情報処理システムは、バッテリ３１と、電力制御装置３２（移動体端末装置の一例）と、ナビゲーション装置３３（移動体端末装置の一例）と、通信装置３４（移動体端末装置の一例）と、を有する。
【００４３】
バッテリ３１は、リチウムイオン電池や、ニッケル水素電池のような充放電ができる２次電池である。バッテリ３１は、電力ケーブル２１ａのプラグと接続できるコネクタを有する。コネクタ部分には、充電装置に接続した際、接続を確認するセンサが取り付けられている。バッテリ３１は、車両３０の駆動モータに接続されている。
【００４４】
電力制御装置３２は、記憶部３２ａと、無線通信部３２ｂと、制御部３２ｃとを有する。電力制御装置３２は、バッテリ３１を制御し、充電装置２０からのデータに関してコンピュータウィルスのチェックを行う。
【００４５】
記憶部３２ａは、例えば、シリコンディスク、ハードディスクドライブ等により構成されており、オペレーティングシステム、コンピュータウィルスのチェックするためのプログラム、コンピュータウィルスに関するデータ、コンピュータウィルスを取り除くためのプログラム等を記憶する。なお、各種プログラムは、例えば、ネットワーク３を介して取得されるようにしてもよいし、記録媒体に記録されてドライブ装置を介して読み込まれるようにしてもよい。
【００４６】
無線通信部３２ｂは、例えば、無線LAN機器間の相互接続性を認証して通信を行う無線機能を有する。無線通信部３２ｂは、充電スポットの充電装置２０と通信を行い、電力価格、電力供給量、車両３０の充電状態等の電力情報、クレジットカードに関するカード情報、充電スポットの充電装置２０の充電スポットＩＤ、充電装置ＩＤ等の送受信を行う。また、無線通信部３２ｂは、ナビゲーション装置３３と通信を行い、ウィルス情報や、充電スポットの充電装置２０の充電スポットＩＤ、充電装置ＩＤ等の送受信を行う。
【００４７】
制御部３２ｃは、ＣＰＵ、ＲＯＭ、ＲＡＭ等により構成されている。そして、制御部３２ｃのＣＰＵが、ＲＯＭや記憶部３２ａに記憶された各種プログラムを読み出し実行し、コンピュータウィルスのチェックや、バッテリ３１の充放電の制御等を行う。
【００４８】
ナビゲーション装置３３は、記憶部３３ａと、音声出力部３３ｂと、表示部３３ｃと、第１無線通信部３３ｄと、現在位置取得部３３ｅと、第２無線通信部３３ｆと、制御部３３ｇと、を有する。ナビゲーション装置３３は、電力制御装置３２からウィルス情報や、充電スポットの充電装置２０の充電スポットＩＤ、充電装置ＩＤを受信する。
【００４９】
記憶部３３ａは、例えば、シリコンディスク、ハードディスクドライブ等により構成されており、オペレーティングシステム等のプログラム、地図情報等を記憶する。また、記憶部３３ａには、充電スポットＩＤに関連付けられ、各充電スポットの名称、各充電スポットの住所、各充電スポットの緯度経度情報等を記憶したデータベースが構築されている。なお、各種プログラムおよび地図情報等は、例えば、ネットワーク３を介して取得されるようにしてもよいし、記録媒体に記録されてドライブ装置を介して読み込まれるようにしてもよい。
【００５０】
音声出力部３３ｂは、例えば、スピーカーを有し、ナビゲーションの情報や、ウィルスに感染した情報等を音で出力する。
【００５１】
表示部３３ｃは、例えば、液晶表示素子またはＥＬ（Electro Luminescence）素子等によって構成されている。表示部３３ｃには、地図情報等が表示される。また、他の車両からの情報として、コンピュータウィルスに感染している充電スポットの情報等を、グリッド管理装置１０から受信した場合、表示部３３ｃには、地図上にコンピュータウィルスに感染している充電スポットの情報が表示される。
【００５２】
第１無線通信部３３ｄは、例えば、無線LAN機器間の相互接続性を認証して通信を行う無線機能を有する。第１無線通信部３３ｄは、電力制御装置３２と通信を行い、ウィルス情報や、充電スポットの充電装置２０の充電スポットＩＤ、充電装置ＩＤ等を受信する。なお、第１無線通信部３３ｄは、デジタル機器用の近距離無線通信規格により、他の機器との無線通信を行ってもよい。また、第１無線通信部３３ｄと電力制御装置３２とは有線で通信を行ってもよい。
【００５３】
第２無線通信部３３ｆは、例えば、デジタル機器用の近距離無線通信規格により、他の機器との無線通信を行う機能を有する。第２無線通信部３３ｆは、通信装置３４と通信を行い、ウィルス情報や、充電スポットの充電装置２０の充電スポットＩＤ、充電装置ＩＤ等を送信する。なお、第２無線通信部３３ｆは、無線LAN機器間の相互接続性を認証して通信を行ってもよい。また、第２無線通信部３３ｆは、他の車両からの情報として、コンピュータウィルスに感染している充電スポットの情報等を、通信装置３４から受信する。
【００５４】
現在位置取得部３３ｅは、ＧＰＳ（Global Positioning System）センサ等を有する。そして、現在位置取得部３３ｅは、衛星軌道上のＧＰＳ衛星からの航法電波を受信し、ナビゲーション装置３３が搭載されている車両３０の位置、高度、速度等を検出する。
【００５５】
制御部３３ｇは、ＣＰＵ、ＲＯＭ、ＲＡＭ等により構成されている。そして、制御部３３ｇのＣＰＵが、ＲＯＭや記憶部３３ａに記憶された各種プログラムを読み出し実行し、ナビゲーション装置３３の制御等を行う。
【００５６】
通信装置３４は、例えば、スマートフォンを含む携帯型無線電話機やＰＤＡ等の携帯端末である。通信装置３４は、例えば、デジタル機器用の近距離無線通信規格により、他の機器との無線通信を行う機能を有し、ナビゲーション装置３３からウィルス情報や、充電スポットの充電装置２０の充電スポットＩＤ、充電装置ＩＤ等を受信する。通信装置３４は、第３世代移動通信システム、第４世代移動通信システム等の移動通信システムにより、ネットワーク３を介して、グリッド管理装置１０と通信を行う。そして、受信したウィルス情報や、充電スポットの充電装置２０の充電スポットＩＤ、充電装置ＩＤ等を、グリッド管理装置１０に送信する。
【００５７】
また、通信装置３４は、他の車両からの情報として、コンピュータウィルスに感染している充電スポットの情報等を、グリッド管理装置１０から受信する。
【００５８】
なお、ナビゲーション装置３３が、通信装置３４の代わりに、移動通信システムの機能を有してもよい。この場合、ナビゲーション装置３３が、ウィルス情報や、充電スポットの充電装置２０の充電スポットＩＤ、充電装置ＩＤ等を、グリッド管理装置１０に送信する。
【００５９】
（２．４  他の車両の車両情報処理システムの構成および機能）
次に、他の車両５０の車両情報処理システムの構成および機能について、図６を用いて説明する。
【００６０】
図６は、実施例に係る他の車両の車両情報処理システムの概要構成の一例を示すブロック図である。
【００６１】
図６に示すように、車両５０の車両情報処理システムは、バッテリ５１と、電力制御装置５２と、ナビゲーション装置５３と、通信装置５４と、を有する。なお、他の車両５０の車両情報処理システムの構成および機能は、車両３０の車両情報処理システムの構成および機能とほぼ同じであるので、詳細は省略する。
【００６２】
バッテリ５１は、バッテリ３１と同様である。
【００６３】
電力制御装置５２は、電力制御装置３２と同様に、記憶部５２ａと、無線通信部５２ｂと、制御部５２ｃとを有する。
【００６４】
記憶部５２ａは、記憶部３２ａと同様である。無線通信部５２ｂは、無線通信部３２ｂと同様である。制御部５２ｃは、制御部３２ｃと同様である。
【００６５】
ナビゲーション装置５３（情報提示装置の一例）は、ナビゲーション装置３３と同様に、記憶部５３ａと、音声出力部５３ｂと、表示部５３ｃと、第１無線通信部５３ｄと、現在位置取得部５３ｅと、第２無線通信部５３ｆと、制御部５３ｇと、を有する。
【００６６】
記憶部５３ａは、記憶部３３ａと同様である。音声出力部５３ｂは、音声出力部３３ｂと同様である。表示部５３ｃは、表示部３３ｃと同様である。第１無線通信部５３ｄは、第１無線通信部３３ｄと同様である。第２無線通信部５３ｆは、第２無線通信部３３ｆと同様である。現在位置取得部５３ｅは、現在位置取得部３３ｅと同様である。制御部５３ｇは、制御部３３ｇと同様である。
【００６７】
通信装置５４は、通信装置３４と同様である。
【００６８】
［３．情報処理システムの動作］
次に、実施例に係る情報処理システム１の動作について図７から図１２を用い説明する。
図７は、実施例に係る車両情報処理システムの動作の一例を示すフローチャートである。図８は、実施例に係るグリッド管理装置の動作の一例を示すフローチャートである。図９は、実施例に係る他の車両の車両情報処理システムの動作の一例を示すフローチャートである。図１０は、表示部における充電施設情報の表示の一例を示す模式図である。
【００６９】
（３．１  車両３０の車両情報処理システムの動作例）
【００７０】
車両３０が、充電を行うために充電装置２０がある充電スポットに入る。そして、充電装置２０の電力ケーブル２１ａのプラグが車両３０のプラグに接続される。
【００７１】
図７に示すように、車両３０の車両情報処理システムの電力制御装置３２は、接続確認を行う（ステップＳ１）。具体的には、電力制御装置３２の制御部３２ｃが、電力ケーブル２１ａのプラグに接続するコネクタのセンサからの接続確認の信号を受信した場合、バッテリ３１が電力ケーブル２１ａに接続したと判定する。充電装置２０の制御部２６も、接続を確認する。
【００７２】
次に、電力制御装置３２は、情報の送受信を行う（ステップＳ２）。具体的には、電力制御装置３２の無線通信部３２ｂが、充電装置２０の無線通信部２２と情報の送受信を行う。まず、電力制御装置３２が、充電装置２０から、充電装置２０の充電スポットＩＤ（充電施設特定情報の一例、充電施設関連情報の一例）を受信する。電力制御装置３２が、充電装置２０にクレジットカードに関するカード情報を送信する。カード情報の確認が取れたあとに、充電装置２０の給電部２１からのバッテリ３１の充電が開始される。なお、電力制御装置３２が、充電装置２０の充電装置ＩＤ（充電施設特定情報の一例、充電施設関連情報の一例）を更に受信してもよい。
【００７３】
充電完了後、電力制御装置３２は、電力の供給量の情報と、金額の情報とを充電装置２０から受信する。なお、電力制御装置３２は、充電中も、供給量の状況を充電装置２０から逐次受信してもよい。
【００７４】
次に、電力制御装置３２は、コンピュータウィルスの検出を行う（ステップＳ３）。具体的には、電力制御装置３２の制御部３２ｃが、記憶部３２ａのコンピュータウィルスに関するデータを参照しながら、充電装置２０から、充電スポットＩＤや、電力の供給量の情報等を受信した際、情報にコンピュータウィルスが含まれるか否かの判定をする。なお、電力制御装置３２の制御部３２ｃが、コンピュータウィルスの種類を特定してもよい。
【００７５】
コンピュータウィルスが検出された場合（ステップＳ３；ＹＥＳ）、電力制御装置３２は、ナビゲーション装置３３にウィルス情報を送信する（ステップＳ４）。具体的には、電力制御装置３２の無線通信部３２ｂは、ナビゲーション装置３３の第１無線通信部３３ｄに、ウィルス情報（コンピュータウィルスを検出した旨の情報）、および、充電スポットＩＤ、充電装置ＩＤ等の充電施設特定情報を送信する。そして、ナビゲーション装置３３が、充電施設特定情報を取得する。なお、ウィルス情報は、コンピュータウィルスの種類の情報を有してもよい。また、電力制御装置３２は、ナビゲーション装置３３に充電スポットＩＤも送信してもよい。
【００７６】
コンピュータウィルスが検出されない場合（ステップＳ３；ＮＯ）、電力制御装置３２は、処理を終了する。
【００７７】
このように、ナビゲーション装置３３が、電力網に接続した充電施設において移動体が充電する際に、前記移動体に配置された移動体端末装置が、前記充電施設に配置された施設端末装置と前記電力網に関連した通信を行うことにより、前記移動体端末装置がコンピュータウィルスを検出した場合に、前記充電施設を特定する充電施設特定情報を前記移動体端末装置から取得する取得部の一例として機能する。
【００７８】
次に、車両３０の車両情報処理システムのナビゲーション装置３３は、現在位置情報を取得する（ステップＳ５）。具体的には、ウィルス情報を受信したら、ナビゲーション装置３３の現在位置取得部３３ｅは、ＧＰＳセンサのＧＰＳ情報等から車両３０の現在位置情報（充電施設特定情報の一例、充電施設関連情報の一例）を取得する。なお、充電スポットＩＤまたは充電装置ＩＤを受信している場合は、ナビゲーション装置３３は、現在位置情報を取得しなくてもよい。
【００７９】
このように、ナビゲーション装置３３が、前記取得した充電施設特定情報から前記充電施設に関連する充電施設関連情報を生成する生成部の一例として機能する。
【００８０】
次に、ナビゲーション装置３３は、通信装置３４に、ウィルス情報および現在位置情報を送信する（ステップＳ６）。具体的には、ナビゲーション装置３３の第２無線通信部３３ｆが、ウィルス情報および現在位置情報を通信装置３４に送信する。なお、ナビゲーション装置３３は、充電スポットＩＤを通信装置３４に送信してもよい。
【００８１】
次に、通信装置３４は、グリッド管理装置１０に、ウィルス情報および現在位置情報を送信する（ステップＳ７）。具体的には、通信装置３４は、ナビゲーション装置３３から受信したウィルス情報および現在位置情報を、ネットワーク３を介して、グリッド管理装置１０に送信する。なお、通信装置３４は、充電スポットＩＤをグリッド管理装置１０に送信してもよい。なお、ナビゲーション装置３３が、ネットワーク３を介して通信を行う機能を有する場合、ナビゲーション装置３３が、グリッド管理装置１０に、ウィルス情報および現在位置情報を送信してもよい。
【００８２】
このように、ナビゲーション装置３３が、グリッド管理装置１０を介することにより、前記生成した充電施設関連情報を、他の移動体に配置された他の移動体端末装置に出力する出力部の一例として機能する。
【００８３】
（３．２  グリッド管理装置の動作例）
次に、グリッド管理装置の動作例について、図８を用いて説明する。
【００８４】
図８に示すように、グリッド管理装置１０は、車両３０からウィルス情報および現在位置情報を受信する（ステップＳ１０）。具体的には、グリッド管理装置１０の通信部１１が、ネットワーク３を介して、車両３０の通信装置３４からウィルス情報および現在位置情報（充電施設特定情報の一例）を受信する。なお、グリッド管理装置１０は、充電施設特定情報の一例として、車両３０から充電スポットＩＤを受信してもよい。
【００８５】
このように、グリッド管理装置１０は、電力網に接続した充電施設において移動体が充電する際に、前記移動体に配置された移動体端末装置が、前記充電施設に配置された施設端末装置と前記電力網に関連した通信を行うことにより、前記移動体端末装置がコンピュータウィルスを検出した場合に、前記充電施設を特定する充電施設特定情報を前記移動体端末装置から取得する取得部の一例として機能する。
【００８６】
次に、グリッド管理装置１０は、現在位置情報から充電スポットを特定する（ステップＳ１１）。具体的には、グリッド管理装置１０の制御部１３が、記憶部１２のデータベースを参照して、受信した現在位置情報に近い充電スポットを特定し、充電スポットＩＤ（充電施設関連情報の一例）を求める。なお、グリッド管理装置１０は、車両３０から充電スポットＩＤを受信することにより、充電スポットを特定してもよい。
【００８７】
次に、グリッド管理装置１０は、電力網を特定する（ステップＳ１２）。具体的には、グリッド管理装置１０の制御部１３が、記憶部１２のデータベースを参照して、充電スポットＩＤに基づき、充電装置２０が接続している電力網Ｇ１（充電施設関連情報の一例）を特定する。
【００８８】
次に、グリッド管理装置１０は、特定された電力網に接続している接続充電スポットを求める（ステップＳ１３）。具体的には、グリッド管理装置１０の制御部１３が、記憶部１２のデータベースを参照して、電力網Ｇ１に接続している接続充電スポットの充電スポットＩＤ（充電施設関連情報の一例）を求める。図１に示すように、グリッド管理装置１０の制御部１３が、電力網Ｇ１に接続している充電装置４０の充電スポットＩＤまたは充電装置ＩＤ（充電施設関連情報の一例）を求める。
【００８９】
このように、グリッド管理装置１０は、前記取得した充電施設特定情報から前記充電施設に関連する充電施設関連情報を生成する生成部の一例として機能する。また、グリッド管理装置１０は、前記充電施設特定情報に基づいて前記充電施設と前記電力網を介して接続している接続充電施設を特定し、前記充電施設関連情報として、当該特定された接続充電施設に関連する情報を生成する生成部の一例として機能する。
【００９０】
次に、グリッド管理装置１０は、他の車両５０に、ウィルス情報、特定された充電スポット情報、および、求めた接続充電スポット情報を送信する（ステップＳ１４）。具体的には、グリッド管理装置１０の通信部１１が、充電施設関連情報の一例として、ウィルス情報、特定された充電スポットの充電スポットＩＤ、および、求めた接続充電スポットの充電スポットＩＤを、ネットワーク３を介して、他の車両５０に送信する。
【００９１】
このように、グリッド管理装置１０は、前記生成した充電施設関連情報を、他の移動体に配置された他の移動体端末装置に出力する出力部の一例として機能する。
【００９２】
（３．３  車両５０の車両情報処理システムの動作例）
次に、車両５０の車両情報処理システムの動作例について、図９および図１０を用いて説明する。
【００９３】
図９に示すように、車両５０の通信装置５４は、グリッド管理装置１０から、ウィルス情報、特定された充電スポット情報、接続充電スポットを受信する（ステップＳ２０）。具体的には、通信装置５４は、ネットワーク３を介して、グリッド管理装置１０から、ウィルス情報、特定された充電スポットの充電スポットＩＤ、接続充電スポットの充電スポットＩＤを受信する。
【００９４】
次に、通信装置５４は、ナビゲーション装置５３に、ウィルス情報、特定された充電スポット情報、接続充電スポット情報を転送する（ステップＳ２１）。具体的には、通信装置５４は、ウィルス情報、特定された充電スポットの充電スポットＩＤ、接続充電スポットの充電スポットＩＤを、ナビゲーション装置５３に転送する。
【００９５】
次に、ナビゲーション装置５３は、充電スポット情報から充電スポットを求める（ステップＳ２２）。具体的には、ナビゲーション装置５３の第２無線通信部５３ｆが、ウィルス情報、特定された充電スポットの充電スポットＩＤ、接続充電スポットの充電スポットＩＤを通信装置５４から受信する。そして、ナビゲーション装置５３の制御部５３ｇが、記憶部５３ａのデータベースを参照して、充電スポットの充電スポットＩＤに基づき、コンピュータウィルスに感染している充電スポット（２０）を求める。
【００９６】
次に、ナビゲーション装置５３は、接続充電スポット情報から接続充電スポットを求める（ステップＳ２３）。具体的には、制御部５３ｇが、記憶部５３ａのデータベースを参照して、接続充電スポットの充電スポットＩＤに基づき、コンピュータウィルスに感染している可能性があるとする充電スポット（４０）を求める。充電装置４０を有する充電スポットは、充電装置２０を有する充電スポットに電力網Ｇ１を介して接続している充電スポットである。なお、電力網Ｇ１に接続している充電装置４０は、電力網Ｇ１に関連した通信網を介して、コンピュータウィルスに感染している可能性があるとして判定し、制御部５３ｇが充電スポット（４０）を求めている。
【００９７】
次に、ナビゲーション装置５３は、地図上に、充電スポットおよび接続充電スポットを表示する（ステップＳ２４）。図１０に示すように、制御部５３ｇが、表示部５３ｃに表示された地図上に、コンピュータウィルスに感染している充電スポット（２０）を、例えば”×”印をつけて表示する。また、制御部５３ｇが、表示部５３ｃに表示された地図上に、コンピュータウィルスに感染している可能性があるとして、通常の充電スポットとは異なる態様で、”Ｇ１エリア”にある充電スポット（４０）を表示する。
【００９８】
次に、ナビゲーション装置５３は、ウィルス情報に基づき警告を出力する（ステップＳ２５）。具体的には、ナビゲーション装置５３の音声出力部５３ｂが、車両５０が、電力網Ｇ１のエリアに進行する場合、ウィルス情報に基づき、電力網Ｇ１のエリアにある充電スポットがコンピュータウィルスに感染している旨の警告を出力する。
【００９９】
なお、車両３０も、グリッド管理装置１０からウィルス情報等を受信してもよい。また、他の車両５０も、充電スポットで充電した際に、コンピュータウィルスを検出した際に、グリッド管理装置１０にウィルス情報等を送信してもよい。
【０１００】
以上説明したように、実施例に係る動作によれば、充電施設の一例の充電スポット（２０）によって移動体の一例の車両３０が充電する際に、コンピュータウィルスを検出した場合に、充電スポットを特定できる充電施設特定情報（例えば、車両３０の現在位置情報または充電スポットの充電スポットＩＤ）を、他の車両５０に出力するので、電力網Ｇ１、Ｇ２、Ｇ３において、コンピュータウィルスの蔓延を防ぐことができる。また、コンピュータウィルスに感染している充電スポットを他の車両５０に知らせることができる。
【０１０１】
また、充電施設特定情報に基づいて充電施設と電力網（例えば、電力網Ｇ１）を介して接続している接続充電施設（例えば、充電装置４０を設置している充電スポット）を特定し、充電施設関連情報として、当該特定された接続充電施設に関連する情報を生成する場合、電力網に関連した通信網を介して、コンピュータウィルスに感染している可能性が高い充電施設も他の移動体（例えば、車両５０）に知らせることにより、さらに蔓延を防ぐことができる。
【０１０２】
また、充電施設特定情報は、充電施設に関する位置の情報（例えば、車両３０の現在位置情報）である場合、コンピュータウィルスに感染した充電施設を正確に特定できる。
【０１０３】
また、充電施設関連情報が、充電施設が地図上に示された地図情報である場合、ユーザは、地図上において、コンピュータウィルスに感染した充電施設を把握しやすくなる。
【０１０４】
また、充電施設関連情報が、充電施設と接続充電施設とが地図上に示された地図情報であって、地図上に、充電施設と接続充電施設とを、異なる態様で表示する場合、感染している充電施設と、感染している可能性が高い接続充電施設とを、感染レベルを区別して表示することができる。
【０１０５】
また、コンピュータウィルスのウィルス情報を移動体端末装置（例えば、電力制御装置３２、ナビゲーション装置３３、および通信装置３４）から更に取得し、ウィルス情報を他の移動体端末装置（例えば、ナビゲーション装置５３および通信装置５４）に更に出力する場合、他の移動体（例えば、車両５０）にウィルス情報を出力することにより、他の移動体端末装置（例えば、電力制御装置５２、ナビゲーション装置５３、または通信装置５４）においてコンピュータウィルスに対処できる。例えば、ウィルス検出情報として、ウィルス検出情報の種類を出力したとき、そのウィルスに対するワクチンを有する場合は、充電施設で充電しても感染しないので、車両５０は、充電することができる。また、他の移動体端末装置（例えば、電力制御装置５２、ナビゲーション装置５３、または通信装置５４）が、例えばネットワーク３を介して、ワクチンをダウンロードしてから、車両５０は充電を行うことができる。
【０１０６】
また、グリッド管理装置１０のような情報処理装置から、充電施設関連情報を受信し、受信した充電施設関連情報に基づいて、コンピュータウィルスが検出された充電施設の情報を他の移動体（例えば、車両５０）の利用者に提示することにより、当該利用者が、コンピュータウィルスが検出された充電施設（例えば、充電装置２０が設置された充電スポット）において充電をしないことにより、電力網において、コンピュータウィルスの蔓延を防ぐことができる。
【０１０７】
（３．４  グリッド管理装置および他の車両の車両情報処理システムの動作の変形例）
次に、グリッド管理装置および他の車両の車両情報処理システムの動作の変形例について、図１１および図１２を用いて説明する。
図１１は、実施例に係るグリッド管理装置の動作の変形例を示すフローチャートである。図１２は、実施例に係る他の車両の車両情報処理システムの動作の変形例を示すフローチャートである。
【０１０８】
図１１に示すように、グリッド管理装置１０は、ステップＳ１０のように、車両３０からウィルス情報および現在位置情報を受信する（ステップＳ３０）。
【０１０９】
次に、グリッド管理装置１０は、ステップＳ１１のように、現在位置情報から充電スポットを特定する（ステップＳ３１）。
【０１１０】
次に、グリッド管理装置１０は、ステップＳ１２のように、電力網を特定する（ステップＳ３２）。
【０１１１】
次に、グリッド管理装置１０は、ステップＳ１３のように、特定された電力網に接続している接続充電スポットを求める（ステップＳ３３）。
【０１１２】
次に、グリッド管理装置１０は、特定した充電スポット、接続充電スポットを地図上に表示した地図データを作成する（ステップＳ３４）。具体的には、グリッド管理装置１０の制御部１３が、記憶部１２のデータベースを参照して、充電装置２０の充電スポットＩＤから、充電装置２０の位置情報を求め、充電装置４０の充電スポットＩＤから、充電装置４０の位置情報を求める。これらの位置情報に基づき、制御部１３が、記憶部１２の地図データに基づき、図１０に示すような地図データ（充電施設関連情報の一例であり、充電施設が地図上に示された地図情報の一例）を作成する。
【０１１３】
このように、グリッド管理装置１０は、前記取得した充電施設特定情報から前記充電施設に関連する充電施設関連情報を生成する生成部の一例として機能する。
【０１１４】
次に、グリッド管理装置１０は、他の車両５０に、ウィルス情報、および、作成された地図情報を送信する（ステップＳ３５）。具体的には、グリッド管理装置１０の通信部１１が、ウィルス情報、および、作成された地図データを、ネットワーク３を介して、他の車両５０に送信する。
【０１１５】
このように、グリッド管理装置１０は、前記生成した充電施設関連情報を、他の移動体に配置された他の移動体端末装置に出力する出力部の一例として機能する。
【０１１６】
次に、図１２に示すように、他の車両５０の通信装置５４は、グリッド管理装置から
ウィルス情報、地図データを受信する（ステップＳ４０）。具体的には、通信装置５４は、ネットワーク３を介して、グリッド管理装置１０から、ウィルス情報、および、地図データを受信する。
【０１１７】
次に、通信装置５４は、ウィルス情報、および、地図データを、ナビゲーション装置に転送する（ステップＳ４１）。
【０１１８】
次に、ナビゲーション装置５３は、充電スポットおよび接続充電スポットが表示された地図を表示する（ステップＳ４２）。具体的には、ナビゲーション装置５３は、転送された地図データにより、図１０に示すように、充電スポット（２０）および接続充電スポット（４０）が表示された地図を表示部５３ｃに表示する。
【０１１９】
次に、ナビゲーション装置５３は、ステップＳ２５のように、ウィルス情報に基づき警告を出力する（ステップＳ４３）。
【０１２０】
このように、充電施設関連情報は、充電施設が地図上に示された地図情報である場合、
サーバであるグリッド管理装置１０の方で、地図上に感染源の充電施設をマーキングして生成して、他の移動体に配信するので、移動体の移動体端末装置の負荷を軽減することができる。
【０１２１】
なお、本実施例は、電力網を管理するグリッド管理装置１０とは別のサーバ装置が、充電施設特定情報を移動体端末装置から取得し、取得した充電施設特定情報から充電施設に関連する充電施設関連情報を生成し、生成した充電施設関連情報を、他の移動体に配置された他の移動体端末装置に出力してもよい。また、車両３０の車両情報処理システムが、充電施設特定情報を充電施設から取得し、取得した充電施設特定情報から充電施設に関連する充電施設関連情報を生成し、生成した充電施設関連情報を、他の移動体に配置された他の移動体端末装置に、ネットワーク３を介して直接出力してもよい。
【符号の説明】
【０１２２】
１０：グリッド管理装置（情報処理装置）
１０ａ：取得部
１０ｂ：生成部
１０ｃ：出力部
２０、４０：充電装置（施設端末装置）
３０：移動体
５０：他の移動体
３２、５２：電力制御装置（移動体端末装置）
３３、５３：ナビゲーション装置（移動体端末装置）
３４、５４：通信装置（移動体端末装置）
【図１】
2014106801.tif 000003
【図２】
2014106801.tif 000004
【図３】
2014106801.tif 000005
【図４】
2014106801.tif 000006
【図５】
2014106801.tif 000007
【図６】
2014106801.tif 000008
【図７】
2014106801.tif 000009
【図８】
2014106801.tif 000010
【図９】
2014106801.tif 000011
【図１０】
2014106801.tif 000012
【図１１】
2014106801.tif 000013
【図１２】
2014106801.tif 000014